(57)【要約】【課題】バール等によってガイドレールからスラットを掻き出すことを困難とする。【解決手段】室外側見付片１０と、開口部側見込片１３と、開口部側見込片１３に形成されたガイド溝１４とを有するガイドレールにおいて、ガイドレールに受け入れられたスラット端部の室内側部位には、該スラット端部の室内側への変形を許容するポケット空間Sが形成されており、ポケット空間Sの見込寸法はガイド溝１４の幅よりも大きい寸法を有している。該ガイドレールの室外側見付片１０の曲げ強度を該スラット端部の曲げ強度よりも大きく設定し、室外側見付片１０と該スラット端部との間隙を拡開させる力が作用した場合には、室外側見付片１０よりも先に該スラット端部をポケット空間S内で変形させるように構成されており、開口部側見込片１３がポケット空間S内で変形したスラット端部に係止することで、ガイド溝１４からのスラット端部の抜け出しを防止する。【選択図】図２
2005105524.tif 000002
【特許請求の範囲】
【請求項１】
室外側見付片と、開口部側見込片と、該開口部側見込片に形成されたガイド溝とを有するガイドレールにおいて、該ガイドレールに受け入れられたスラット端部の室内側部位には、該スラット端部の室内側への変形を許容するポケット空間が形成されており、該ポケット空間の見込寸法は該ガイド溝の幅よりも大きい寸法を有しており、該ガイドレールの該室外側見付片の曲げ強度を該スラット端部の曲げ強度よりも大きく設定し、該室外側見付片と該スラット端部との間隙を拡開させる力が作用した場合には、該室外側見付片よりも先に該スラット端部を該ポケット空間内で変形させるように構成されており、該開口部側見込片が該ポケット空間内で変形したスラット端部に係止することで、該ガイド溝からのスラット端部の抜け出しを防止するように構成されていることを特徴とするガイドレールの防犯構造。
【請求項２】
請求項１において、該ガイドレール内部空間において、該空間の底側かつ室内側に位置する部分には平面視湾曲状あるいは傾斜状の片を設けることで、該部分に角部を形成しないように構成したことを特徴とするガイドレール構造。
【請求項３】
請求項１，２いずれかにおいて、ガイドレールの室外側見付片の開口部側の端部近傍に薄肉部を形成し、該室外側見付片に拡開方向の力が作用すると、該見付片は、該薄肉部において屈曲するように構成されていることを特徴とするガイドレール構造。
【発明の詳細な説明】
【技術分野】
【０００１】
本発明は、シャッターのガイドレールの防犯構造に関するものである。
【背景技術】
【０００２】
最近、バール等でガイドレールをこじ開けてシャッタースラットをガイドレールから外すことで、建物開口部を開放して室内に侵入するという犯罪が発生している。
【０００３】
バールを用いた従来のガイドレールのこじ開けを図４に示す。図４のガイドレールにおいて、上側が室外側、下側が室内側となっている。室外側からバールＢをガイドレールの室外側見付片１０とシャッタースラット３０との間に侵入させる。そして、バールＢの先端をガイドレール内の角部に当接させ、バールＢの先端を支点として、バールＢを回動させると、バールＢとガイドレールの室外側見付片１０との当接部が支点となって、室外側見付片１０が引き起こされると共に、スラット３０が掻き出される。
【発明の開示】
【発明が解決しようとする課題】
【０００４】
本発明は、従来のガイドレールにおける前記不具合を解決するために創案されたものであって、バール等によってガイドレールからスラットを掻き出すことを困難とするガイドレールの構造を提供することを目的とするものである。
【課題を解決するための手段】
【０００５】
かかる課題を達成するために本発明が採用した技術手段は、室外側見付片と、開口部側見込片と、該開口部側見込片に形成されたガイド溝とを有するガイドレールにおいて、該ガイドレールに受け入れられたスラット端部の室内側部位には、該スラット端部の室内側への変形を許容するポケット空間が形成されており、該ポケット空間の見込寸法は該ガイド溝の幅よりも大きい寸法を有しており、該ガイドレールの該室外側見付片を該スラット端部よりも大きい曲げ強度に設定し、該室外側見付片と該スラット端部との間隙を拡開させる力が作用した場合には、該室外側見付片よりも先に該スラット端部を該ポケット空間内で変形させるように構成されており、該開口部側見込片が該ポケット空間内で変形したスラット端部に係止することで、該ガイド溝からのスラット端部の抜け出しを防止するように構成されていることを特徴とする。
【０００６】
従来、ガイドレールのこじ開け対策としては、一般に、ガイドレールやスラット端部の強度を大きくして、ガイドレールやスラット端部の変形を起こさせないようにすることが考えられている。本発明は、そのような対策とは、全く異質の技術思想に基づくものであって、スラット端部の変形を許容すると共に、変形したスラットがガイドレールから抜け難くすることでガイドレールに防犯機能を持たせようとするものである。これを達成するためには、「スラット端部が変形できる空間」および「バール等の回動操作によって、ガイドレールの室外側見付片とスラット端部の間隙を拡開する力が作用した時に、ガイドレールではなくスラット端部を変形させるような構成」が必要となる。そこで、先ず、ガイドレール内部空間の室内側部位には、スラット端部の室内側への変形を許容すると共に、ガイド溝の幅よりも大きい見込寸法を有するポケット空間を形成した。さらに、ガイドレール本体の強度を、室外側見付片とスラット端部と間隙を拡開する力が作用した場合に、スラット端部を先に変形させるような強度（すなわち、室外側見付片の曲げ強度をスラット端部の曲げ強度よりも大きくした）に設定した。
【０００７】
ポケット空間の開口部側は、開口部側のガイドレールの見込片（ガイドレール溝部あるいはスラットを挟んで室内側に位置する）によって画定されており、ポケット空間内で変形したスラット端部がガイドレールの室内側見込片に係止することで、スラット端部が該室内側空間に留まり抜け出しが困難となる。
【０００８】
一つの好ましい態様では、ガイドレール本体の少なくとも該室外側見付片を厚肉部に形成することで、ガイドレール本体に強度を与え、該見付片を拡開する方向の力に対抗する。さらに好ましくは、該見付片の基端側に一体的に形成された底片も厚肉部に形成する。
【０００９】
他の一つの好ましい態様では、該ガイドレール内部空間において、該空間の底側（本明細書では、ガイドレールにおいて、開口部から離隔した側を底側と言う）かつ室内側に位置する部分には、平面視湾曲状あるいは傾斜状の片を設けることで、該部分に角部を形成しないことを特徴とする。こうすることで、ガイドレール内部空間の底側で室内側の部分から、バールの先端の支点となり得る角部を排除する。後述の実施例では、ガイドレール内部空間の底側で室内側の部分に湾曲片を設けることで、バールの先端が引っ掛かって支点となるような部分を無くしている。
【００１０】
他の一つの好ましい態様では、ガイドレールの室外側見付片の開口部側の端部近傍に薄肉部を形成し、該室外側見付片に力が作用すると、該見付片は、該薄肉部において屈曲するように構成されている。こうすることで、ガイドレールの室外側見付片の全体を引き起こそうとすると、見付片全体を引き起こす前に、該見付片の先端部位のみが屈曲してしまい、見付片全体を引き起こすことを困難にする。
【発明の効果】
【００１１】
室外側からガイドレールの溝部に挿入されたバール等の回動操作によって、ガイドレール本体の室外側見付片を拡開する方向の力を加えると、バールはスラット端部にも当接しているため、スラット端部にもスラット端部を室内側へ変形させようとする力が作用する。この時、スラット端部の室内側にはスラット端部の変形を許容する十分な空間が存在すると共に、ガイドレール本体（室外側見付片）には、スラット端部が先に変形するような曲げ強度を持たせているので、スラット端部の室内側に設けられたポケット空間内で、スラット端部が変形する。ポケット空間の見込寸法は、ガイド溝の幅よりも大きく設定されており、スラット端部はガイドレール溝から抜け出難いように十分に変形可能である。ポケット空間の開口部側は、開口部側のガイドレールの見込片によって画定されており、ポケット空間内で変形したスラット端部がガイドレールの室内側見込片に係止する。したがって、変形したスラット端部が該ポケット空間に留まって、バール等による掻き出しを困難にする。
【発明を実施するための最良の形態】
【００１２】
図１はシャッター装置の正面図であって、シャッター装置は、建物開口部の左右端部に立設した左右のガイドレール１と、建物開口部の上方に設けたシャッターケース２と、建物開口部を開閉するシャッターカーテン３とを有する。シャッターカーテン３は複数枚のスラット３０を上下に連設して構成されており、その上端はシャッターケース２内に水平状に設けた図示しない巻取シャフトに連結されており、建物開口部開放時には、シャッターカーテン３は該巻取シャフトに巻装されている。建物開口部閉鎖時には、シャッターカーテン３は、該巻取シャフトから繰り出されて行き、スラット３０の両端部が左右のガイドレール１に案内されながら下降することで建物開口部を閉鎖する。
【００１３】
図２上図は、本発明に係るガイドレールの断面図であって、図において上側が室外側、下側が室内側となっている。ガイドレール１の本体は、室外側見付片１０と室内側見付片１１と見込方向に延出する底片１２と開口部側見込片１３とから一体的に構成されている。室外側見付片１０と室内側見付片１１の底側端部同士は見込方向に延出する底片１２によって連結されている。室内側見付片１１の開口部側先端から室外側見付片１０の開口部側先端に向って開口部側見込片１３が延出しており、開口部側見込片１３には、スラット３０の端部を受け入れるスラット呑み込み口を形成する溝部１４が形成されている。具体的には、開口部側見込片１３は見込方向に延出する底片１２より短尺であり、開口部側見込片１３と室外側見付片１０の開口部側先端部位との間に溝部１４が形成されている。開口部側見込片１３は、ガイドレール溝部１４あるいはスラット３０を挟んで室内側に位置する室内側見込片である。溝部１４は、ガイドレール本体によって画定される内部空間と連通しており、開口部閉鎖時に、シャッターカーテンのスラットの端部を溝部１４から該内部空間に受け入れるように構成されている。
【００１４】
ガイドレール１の内部空間において、内部空間に受け入れられたスラット３０の室内側に位置してスラット端部に対向する室内側空間は、スラット３０の端部の室内側への変形を許容するポケット空間Ｓを形成している。ポケット空間Ｓは、スラット３０の端部の室内側への変形を許容する形状・奥行（特に、見込方向の寸法）を有している。具体的には、ポケット空間Ｓの見込寸法Ｄ１は、ガイド溝１４の幅寸法Ｄ２よりも大きい寸法を有している。
【００１５】
ガイドレール本体は、室外側からガイド溝１４に侵入してガイドレールの室外側見付片１０とスラット３０端部との間に延出する長尺状の異物（例えば、バール）が室外側見付片１０を室外側に拡開する方向に回動した場合に、該拡開方向の力に対抗して、室内側見付片１０よりも先に該スラット端部をポケット空間S内で変形させるような強度を有している。すなわち、ガイドレールの室外側見付片１０の曲げ強度を該スラット端部の曲げ強度よりも大きく設定し、室外側見付片１０と該スラット端部との間隙を拡開させる力が作用した場合には、室外側見付片１０よりも先に該スラット端部をポケット空間S内で変形させるように構成した。具体的には、室外側見付片１０と底片１２は、室内側見付片１１、開口部側見込片１３よりも肉厚の厚肉部から形成されており、室外側見付片１０、底片１２、及びこれらの会合部位に強度を与え、室外側見付片１０を室外側へ拡開する方向の力に対抗し、底片１２に対して室外側見付片１０が引き起こし難いようにしている。ガイドレール本体の室外側見付片１０に強度を与える構成は図示のものには限定されず、ガイドレール本体全体を厚肉部から形成したり、ガイドレール本体に補強部材を設けたり、あるいはガイドレールをより強度の大きい材料から形成するものでもよい。
【００１６】
図２において、室外側からガイドレールの溝部１４（ガイドレール１の室外側見付片１０とスラット３０の間）に図示しないバールを挿入させ、バールが室外側見付片１０とスラット３０に当接した状態で、室外側見付片１０を拡開させる方向にバールを回動させてスラット３０を掻き出そうとすると、ガイドレール本体の室外側見付片１０が拡開方向の力に対抗する（ある程度は拡開しても剛性で元に復帰する）一方、スラット３０は、ガイドレール１の開口部側見込片１３の先端に当接して、そこを支点として、ポケット空間Ｓ内へ屈曲する。
【００１７】
ポケット空間Ｓは、変形したスラット端部が抜け出すことを規制する空間を構成する。ポケット空間Ｓの開口部側部位は、開口部に面するガイドレールの室内側見込片１３と室内側見付片１１の開口部側の部位によって画定されている。上述のように、室外側からバールをガイドレール溝部１４に入れて、スラット端部に室内側の力を作用させると、スラット３０の端部がポケット空間Ｓで変形されるが、さらに掻き出そうとしても、変形したスラット端部の屈曲部位がガイドレール１の開口部側見込片１３に係止し、変形したスラット端部は、ポケット空間Ｓに留まることになる。しかも、ポケット空間Ｓの見込寸法はガイド溝１４の幅よりも大きい寸法を有しているので、スラット端部は、ガイド溝１４から抜け出難いように十分な量だけ変形され得る。具体例では、図２に示すように、スラット端部は平面視く字状に折曲されることで、ガイド溝１４から抜け出難くなり、ポケット空間Ｓに留まる。尚、スラット端部は、必ずしも、屈曲された時点で開口部側見込片１３に係止するように大きく折曲される必要はない。屈曲されたスラット端部の変形量がガイド溝１４の幅寸法Ｄ２よりも大きければ、スラット端部をガイドレールから引き抜こうとした場合に、折曲されたスラット端部がスラット溝１４側に移動し、折曲されたスラット端部が開口部側見込片１３に引っ掛かってスラット端部がガイドレールから抜け出すことを防止する。また、スラット端部の変形を十分に行なうと共にガイドレールからの抜けを防止するためには、ガイドレール内部空間内に呑み込まれるスラット端部の寸法が大きい方（スラット端部が内部空間に深く呑み込まれる）が望ましい。
【００１８】
本発明を具現化するガイドレール構造は図２上図のものに限定されず、図２下図のような形状でもよい。図２下図では、室内側見付片１１は室外側見付片１０よりも短尺に形成されており、図２上図のものに比べて、室内側見込片１３が底側（底片１２側）に偏倚している。
【００１９】
図３は本発明に係るガイドレール構造の他の実施例を示している。図３に示す実施例では、スラットの抜け出しを防止するための２つの手法が開示されている。一つは、バール等の先端が引っ掛かる部位を無くすというもので、もう一つは、バール等の回動操作の際に支点となる部位の強度を弱くすることで、ガイドレールの引き起こしを困難とさせるというものである。図３では、これら２つの手法の両方を採用した構成が示してあるが、これらの２つの手法は独立した手段であり、それぞれ単独でガイドレールに採用され得るものである。以下、具体的に説明する。図２と同様に、上側が室外側、下側が室内側となっている。ガイドレール１は、室外側見付片１０と室内側見付片１１と見込方向に延出する底片１２と開口部側見込片１３とから一体的に構成されている。室外側見付片１０と室内側見付片１１の基端側同士は底片１２によって連結されている。室内側見付片１１の開口部側先端から室外側見付片１０の開口部側先端に向って開口部側見込片１３が延出しており、開口部側見込片１３は底片１２より短尺であり、開口部側見込片１３と室外側見付片１０の開口部側先端部位との間にスラットの端部を受け入れるスラット呑み込み口を形成する溝部１４が形成されている。
【００２０】
ガイドレール内には、室内側見付片１１と底片１２が会合することで形成する角部を隠蔽する湾曲片１５が形成されている。湾曲片１５は、一端が底片１２の室外側端部近傍、他端が室内側見付片１１の略中央部位と一体形成されており、該角部側に膨出するように緩やかに湾曲している。尚、室内側見付片１１と見込方向に延出する底片１２を設ける代りに、室外側見付片１０の底側端部と開口部側見込片１３の室内側端部を弧状の湾曲片で連結することで、ガイドレールを構成してもよい。
【００２１】
室外側見付片１０の開口部側の端部近傍には、薄肉部１００が形成されており、室外側見付片１０にそれを引き起こそうとする力が作用すると、室外側見付片１０は、薄肉部１００において折曲するように構成されている。
【００２２】
このように形成されたガイドレールにおいて、室外側からバールＢをガイドレールの室外側見付片１０とシャッタースラット３０との間に侵入させても、湾曲片１５によって、バールＢの支点となる角部が隠蔽されており、かつ、湾曲片１５は湾曲面を形成しており、ガイドレール内部空間にバールＢの支点となる引っかかりが無いため、バールＢでガイドレール１の室外側見付片１０を引き起こすことが困難となる。さらに、室外側見付片１０の薄肉部１００が容易に屈曲するので、バールＢを回動させる際に、室外側見付片１０の先端側に力が作用すると、薄肉部１００において、室外側見付片１０の先端部のみが曲がってしまい、見付片１０全体を引き起こすことが困難となる。
【００２３】
図３におけるガイドレール１の内部空間において、スラット３の室内側に位置してスラット端部に対向する部位は、スラット３０の端部の室内側への変形を許容するポケット空間Ｓを形成している。図３において、室外側からガイドレールの溝部１４（ガイドレール１の室外側見付片１０とスラット３０の間）にバールを挿入させ、バールを回動させてスラット３０を掻き出そうとすると、スラット３０は、ガイドレール１の開口部側見込片１３の先端に当接して、そこを支点として、ポケット空間Ｓ内へ屈曲する。
【００２４】
ポケット空間Ｓの開口部側部位は、開口部に面するガイドレールの室内側見込片１３と室内側見付片１１の開口部側の部位によって画定されている。上述のように、室外側からバールをガイドレール溝部１４に入れて、スラット端部に室内側の力を作用させると、スラット３の端部がポケット空間Ｓで変形されるが、さらに掻き出そうとしても、変形したスラット端部の屈曲部位がガイドレール１の開口部側見込片１３に係止し、変形したスラット端部は、ポケット空間Ｓに留まることになる。バールＢで掻き出そうとすればするほど、スラットが変形したり、また、開口部見込片１３の先端部位が変形したりして、スラット端部がより抜け出難くなる。
【産業上の利用可能性】
【００２５】
本発明によれば、シャッター装置に対して大幅な補強を行なうことなく、ガイドレールのこじ開けや、スラット端部の掻き出しを防止することができ、シャッター装置の防犯性能向上に寄与する。
【図面の簡単な説明】
【００２６】
【図１】シャッター装置の正面図である。
【図２】本発明に係るガイドレールの断面図である。
【図３】本発明に係るガイドレールの他の実施例を用いて、本発明の作用を説明する図である。
【図４】従来のガイドレール構造において、バールによるスラット端部を掻き出しを説明する図である。
【符号の説明】
【００２７】
１  ガイドレール
１０  室外側見付片
１１  室内側見付片
１２  底片
１３  開口部側見込片
１４  溝部
１５  湾曲片
１００  薄肉部
Ｓ    ポケット空間
Ｂ    バール
【図１】
2005105524.tif 000003
【図２】
2005105524.tif 000004
【図３】
2005105524.tif 000005
【図４】
2005105524.tif 000006